(57)【特許請求の範囲】
【請求項１】
被検者の顔面に装着され、被検者の眼球を撮影する撮像素子をゴーグル本体に内蔵して形成される眼球運動検査用ゴーグルにおいて、片目につき２個の撮像素子を用い、このうち一方のものを水平用撮像素子とすると共に、他方のものを水平用撮像素子が撮影する画像を９０°回転させた画像を撮影するように垂直用撮像素子とし、ゴーグル本体内に片目につき２個のハーフミラーを視線上に並設し、一方のハーフミラーに反射して見える被検者の眼球を撮影することができるように、水平用撮像素子をゴーグル本体内に設置し、他方のハーフミラーに反射して見える被検者の眼球を撮影することができるように、垂直用撮像素子をゴーグル本体内に設置して成ることを特徴とする眼球運動検査用ゴーグル。
【発明の詳細な説明】
【技術分野】
【０００１】
本発明は、耳鼻咽喉科や神経内科等の医療機関等において、めまい検査等の用途に使用される眼球運動検査用ゴーグルに関するものである。
【背景技術】
【０００２】
従来より、めまいに関する検査では、眼振検査と呼ばれる患者の目の動きを観察して症状を診断する検査が行われている。このような眼球運動の検査においては、例えば、図５に示すように、ハーフミラー３１と撮像素子（図示せず）が内蔵され、前方に開口した観察口３２が設けられた眼球運動検査用ゴーグル３０が用いられている。被検者はこのハーフミラー３１を通して眼前の光景を見ると共に、ハーフミラー３１に反射した被検者の眼球を撮像素子により撮影するようになっている（例えば、特許文献１参照。）。撮影された眼球の映像は画像解析され、瞳孔位置が検出される。そして、瞳孔位置の変化を経時的に記録することで、眼球運動の計測を行っている。ここで、瞳孔位置の検出に用いられる画像はＮＴＳＣやＰＡＬといったビデオ規格準拠の映像信号で構成されている。
【特許文献１】特開平１１−３３２８３０号公報
【発明の開示】
【発明が解決しようとする課題】
【０００３】
しかしながら、現在の映像規格信号（ＮＴＳＣ、ＰＡＬ、ＳＥＣＡＭ、ハイビジョン、ＨＤ−ＭＡＣ等）では、水平方向の分解能を高く得ることはできても、垂直方向の分解能については、映像信号の規格によって水平走査線の本数が制限されているので、高く得ることができないという問題があった。
【０００４】
本発明は上記の点に鑑みてなされたものであり、眼球の位置を検出するにあたって、水平方向の分解能のみならず、垂直方向の分解能も高めることができる眼球運動検査用ゴーグルを提供することを目的とするものである。
【課題を解決するための手段】
【０００５】
本発明に係る眼球運動検査用ゴーグルは、被検者の顔面に装着され、被検者の眼球Ｇを撮影する撮像素子５をゴーグル本体２に内蔵して形成される眼球運動検査用ゴーグル１において、片目につき２個の撮像素子５を用い、このうち一方のものを水平用撮像素子５ａとすると共に、他方のものを水平用撮像素子５ａが撮影する画像を９０°回転させた画像を撮影するように垂直用撮像素子５ｂとし、ゴーグル本体内２に片目につき２個のハーフミラー４ａ、４ｂを視線上に並設し、一方のハーフミラー４ａに反射して見える被検者の眼球Ｇを撮影することができるように、水平用撮像素子５ａをゴーグル本体内２に設置し、他方のハーフミラー４ｂに反射して見える被検者の眼球Ｇを撮影することができるように、垂直用撮像素子５ｂをゴーグル本体２内に設置して成ることを特徴とするものである。
【発明の効果】
【０００８】
本発明に係る眼球運動検査用ゴーグルによれば、眼球の位置を検出するにあたって、水平方向の分解能のみならず、垂直方向の分解能も高めることができるものである。また、被検者の眼前に視界を遮るものがなくなり、視標を提示して検査することができるものである。
【発明を実施するための最良の形態】
【００１１】
以下、本発明の実施の形態を説明する。
【００１２】
本発明の実施形態における眼球運動検査用ゴーグル１は、図１に示すように、ゴーグル本体２と取付用ベルト３を備えている。ゴーグル本体２は、被検者の眼部周辺を覆うように装着され、取付用ベルト３により被検者の顔面に固定されるようになっている。
【００１３】
ゴーグル本体２の前面側には、観察口９が設けられており、観察口９を覆うようにして透明カバー６が着脱自在に取り付けられている。また、この透明カバー６のさらに前方には、遮蔽カバー７が着脱自在に取り付けられるようになっている。なお、本発明においては透明カバー６や遮蔽カバー７は取り付けなくてもよい。
【００１４】
また、ゴーグル本体２の上部にはゴーグルケーブル８が備えられており、外部機器（図示せず）と接続されてデータの送受信を行うことができるようになっている。
【００１５】
ゴーグル本体２には、図２に示すように、被検者の眼球Ｇを撮影するための撮像素子５が内蔵されている。本発明においては、片目につき２個の撮像素子５を用いるようにしている。このうち一方のものは、レンズを眼球Ｇに向け、水平用撮像素子５ａとしてゴーグル本体２内に設置されている。また、他方のものは、レンズを眼球Ｇに向け、水平用撮像素子５ａに対して９０°回転させて垂直用撮像素子５ｂとしてゴーグル本体２内に設置されている。これにより、水平用撮像素子５ａが撮影する画像を９０°回転させた画像が垂直用撮像素子５ｂで撮影されることとなる。なお、撮像素子５としては、ＣＣＤやＣ−ＭＯＳ等を用いることができる。また、図示はしないが、ゴーグル本体２内部において各撮像素子５はゴーグルケーブル８と接続されている。
【００１６】
このように本発明に係る眼球運動検査用ゴーグル１によれば、眼球Ｇの位置を検出するにあたって、水平用撮像素子５ａによって、水平方向の分解能を高めることができるのみならず、垂直用撮像素子５ｂによって、水平走査線の本数に制限されることがなくなり、垂直方向の分解能も高めることができるものである。よって、眼球のうち特に小さな瞳孔の位置を調べる場合には、従来のものに比べて、その位置をより正確に検出することができるものである。
【００１７】
図３は別の実施形態を示すものであり、この実施形態においては、ゴーグル本体２内にハーフミラー４が設置されている。そして、水平用撮像素子５ａと垂直用撮像素子５ｂのうち、一方のものでハーフミラー４に反射して見える被検者の眼球Ｇを撮影し、他方のものでハーフミラー４を透過して見える被検者の眼球Ｇを撮影することができるように、水平用撮像素子５ａ及び垂直用撮像素子５ｂが設置されている。具体的には、図３に示すものにおいては、ハーフミラー４は、下側にいくほど被検者の眼球Ｇから離れていくように、垂直方向から４５°傾斜した状態で設置されている。また、水平用撮像素子５ａは、被検者の眼球Ｇが反射して見えるように、レンズをハーフミラー４に向けてゴーグル本体２内に設置されている。また、垂直用撮像素子５ｂは、被検者の眼球Ｇが透過して見えるように、レンズをハーフミラー４を介して眼球Ｇに向けてゴーグル本体２内に設置されている。ただし、水平用撮像素子５ａが撮影する画像を９０°回転させた画像が得られるように、垂直用撮像素子５ｂは９０°回転させて設置してある。
【００１８】
そして、この図３の実施形態によれば、次のような有利な効果を得ることができる。すなわち、上述した図２の実施形態では、図２（ｂ）から明らかなように、片目につき、水平用撮像素子５ａと眼球Ｇの間の光軸と、垂直用撮像素子５ｂと眼球Ｇの間の光軸とを一致させることはできないが、図３の実施形態では、水平用撮像素子５ａと眼球Ｇの間の光軸と、垂直用撮像素子５ｂと眼球Ｇの間の光軸とを一部一致させることができる。つまり、図３（ａ）から明らかなように、ハーフミラー４から眼球Ｇまでの光軸を一致させることができ、これにより、図２に示すものに比べて眼球Ｇの位置を検出する際の精度を向上させることができるものである。
【００１９】
図４はさらに別の実施形態を示すものであり、この実施形態においては、ゴーグル本体２内に、片目につき２個のハーフミラー４ａ，４ｂが設置されている。これらのハーフミラー４ａ，４ｂは視線上に並設してある。そして、ハーフミラー４ａ，４ｂに反射して見える被検者の眼球Ｇを撮影することができるように、水平用撮像素子５ａ及び垂直用撮像素子５ｂが設置されている。具体的には、図４に示すものにおいては、２個のハーフミラー４ａ，４ｂはいずれも、下側にいくほど被検者の眼球Ｇから離れていくように、垂直方向から４５°傾斜した状態で設置されている。また、水平用撮像素子５ａ及び垂直用撮像素子５ｂは、被検者の眼球Ｇが反射して見えるように、レンズをハーフミラー４ａ，４ｂに向けてゴーグル本体２内に設置されている。ただし、水平用撮像素子５ａが撮影する画像を９０°回転させた画像が得られるように、垂直用撮像素子５ｂは９０°回転させて設置してある。
【００２０】
そして、この図４の実施形態によれば、次のような有利な効果を得ることができる。すなわち、上述した図３の実施形態では、ハーフミラー４を透過した視線の先に垂直用撮像素子５ｂが存在するが、図４の実施形態では、２個のハーフミラー４ａ，４ｂを透過した視線の先には光景が存在するものであって、この光景を遮るような撮像素子５は存在しない。このように、図４の実施形態では、被検者の眼前に視界を遮るものがなくなり、視標を提示して検査することができるものである。すなわち、このような眼球運動検査用ゴーグル１を被検者の顔面に装着し、被検者がハーフミラー４及び透明カバー６を通して眼前の光景を見ている状態で、ハーフミラー４に反射した被検者の眼球Ｇを各撮像素子５で撮影することにより、めまい検査を行うことができる。しかも、図４の実施形態では、水平用撮像素子５ａと眼球Ｇの間の光軸と、垂直用撮像素子５ｂと眼球Ｇの間の光軸とを一部一致させることができる。つまり、図４（ａ）から明らかなように、ハーフミラー４ａから眼球Ｇまでの光軸を一致させることができ、これにより、図２に示すものに比べて眼球Ｇの位置を検出する際の精度を向上させることができるものである。
【００２１】
なお、図２〜図４に示すものにおいて、水平用撮像素子５ａと垂直用撮像素子５ｂの位置を入れ替えてもよい。
【００２２】
また、各実施形態における眼球運動検査用ゴーグル１は、透明カバー６のさらに外側に遮蔽カバー７を取り付けると共に、ゴーグル本体２内部に凹面レンズ（図示せず）と、この凹面レンズに映像を映し出す映像出力機器（図示せず）等を取り付けることにより、刺激映像提示機能付きビデオ眼振計としても使用することができる。
【００２３】
また、本発明における眼球運動検査用ゴーグル１は、例えば、フレンツェル眼鏡にも適用することができる。
【図面の簡単な説明】
【００２４】
【図１】本発明の実施形態における眼球運動検査用ゴーグルの斜視図である。
【図２】同実施形態におけるゴーグル本体の内部を、（ａ）側方からみた透視図であり、（ｂ）上方からみた透視図である。
【図３】本発明の別の実施形態におけるゴーグル本体の内部を、（ａ）側方からみた透視図であり、（ｂ）上方からみた透視図である。
【図４】本発明の別の実施形態におけるゴーグル本体の内部を、（ａ）側方からみた透視図であり、（ｂ）上方からみた透視図である。
【図５】従来の眼球運動検査用ゴーグルの斜視図である。
【符号の説明】
【００２５】
１  眼球運動検査用ゴーグル
２  ゴーグル本体
４  ハーフミラー
４ａ  ハーフミラー
４ｂ  ハーフミラー
５  撮像素子
５ａ  水平用撮像素子
５ｂ  垂直用撮像素子
【図１】
0004844164.tif 000002
【図２】
0004844164.tif 000003
【図３】
0004844164.tif 000004
【図４】
0004844164.tif 000005
【図５】
0004844164.tif 000006